(57)【特許請求の範囲】
【請求項１】
ビータが取り付けられた回転軸を支柱で枢支するとともに前記回転軸とフットペダルを伝達部材にり連結し、前記回転軸の端部に設けたクランクアームと前記支柱の基部に設けた調節ネジとの間に前記ビータならびにフットペダルに復帰習性を付与する張引コイルバネを介装したドラム用フットペダル装置において、前記調節ネジの開放端にローラーを回転自在に固定し、該ローラーに前記張引コイルバネの下端を連結してなることを特徴とするドラム用フットペダル装置。
【発明の詳細な説明】
【０００１】
【発明の属する技術分野】
本発明は、音楽演奏に用いるドラム用フットペダル装置に関するもので、ビータならびにフットペダルに復帰習性を付与するための張引コイルバネによるノイズの発生を防止するようにしたものである。
【０００２】
【従来の技術】
フットペダルを踏み込むことによりビータを回動させ、該ビータのビータヘッドでドラムヘッドを打撃して発音させるドラム用フットペダル装置は、種々提案されており、操作性の改良などがなされている。
【０００３】
従来のドラム用フットペダル装置の基本的構成は図４に示すごとく、ビータ１が取り付けられた回転軸２を左右一対の支柱３の上部で回動自在に枢支し、フットペダル４の先端を回転軸２にチェーンあるいは板状の伝達部材５を介して連結している。そして、前記回転軸２の一端または両端にはフットペダル４に初期位置への復帰習性を付与するための張引コイルバネ６の上端６Ａがクランクアーム７に回転自在に軸支されたローラー９にリンク部材８を介して掛け止めされ、その下端６Ｂは張引コイルバネ６の張力を調節するための調節ネジ１０の通孔１０Ａに掛け止めされて連結されている。
【０００４】
図５は、前記調節ネジの部分の詳細な構成を示すもので、調節ネジ１０に螺合するナット１１を回転自在に支承する支持孔１３を前記支柱３の基部に一体的に突設されたブラケット１２に形成するとともに、このブラケット１２に前記支持孔１３の軸線方向に直交するネジ孔１４を形成し、このネジ孔に前記ナット１１を固定する締付ボルト１５を螺合するようにしたものである。したがって、前記ナット１１を左右に回転させることにより、調節ネジ１０は上下動し、張引コイルバネ６の張力の調節が可能となる。
【０００５】
【発明が解決しようとする課題】
このように構成されたドラム用フットペダル装置により演奏を行う場合は、フットペダル４を踏み込むことにより伝達部材５により回転軸２が回転され、これによりビータ１がドラムヘッドに向かって転動する。これに伴ってクランクアーム７もその先端が回転しながら上昇するため、ローラー９に掛け止めされている張引コイルバネ６が引き伸ばされ、その張力による負荷が増加するとともに、張引コイルバネ６の下端６Ｂが変位しようとして調節ネジ１０の通孔１０Ａ内で摩擦が発生する。
【０００６】
このようにな状況下では、張引コイルバネ６の下端６Ｂは調節ネジ１０の通孔１０Ａに直接掛け止めされているだけであるため、その接触面積が僅かであることにより負荷が集中してきわめて大きな接触抵抗が発生し、演奏中に不快なノイズを発生する原因となり、ペダル操作にも影響を与えるものであった。これを防止するため潤滑油を注入しても有効面積が小さいため、短時間で油切れとなり効果的な結果を得ることができなかった。
【０００７】
本発明は、かかる従来のドラム用フットペダル装置の問題を解決するためになされたもので、調節ネジと張引コイルバネによる不快なノイズの発生を防止するとともに、ペダル操作に影響を与えないようにしたものである。
【０００８】
【課題を解決するための手段】
本発明は、ビータがとりつけられた回転軸を支柱で枢支するとともに前記回転軸とフットペダルを伝達部材により連結し、前記回転軸の端部に設けたクランクアームと前記支柱の基部に設けた調節ネジとの間に前記ビータならびにフットペダルに復帰習性を付与する張引コイルバネを介装したドラム用フットペダルにおいて、前記調節ネジの開放端にローラーを回転自在に固定し、該ローラーに前記張引コイルバネの下端を連結する。
【０００９】
【発明の実施の形態】
以下、図に示す本発明の実施の態様を説明する。なお、従来と共通する部分の構成については同一の符号を付して説明する。図１および図２は、本発明により構成されたドラム用フットペダル装置の要部を示す図であり、同図において、符号３は、アルミダイキャストなどによる成型された支柱であり、従来の構成と同様、左右一対に構成され、回転軸２が支柱３の上部に枢支されている。
【００１０】
前記回転軸２の一端または両端にはクランクアーム７が固定されており、該クランクアーム７の先端にはローラー９が回転自在に軸支されている。そして、フットペダル４へ復帰習性を付与するための張引コイルバネ６の上端６Ａがリンク部材８を介して前記ローラー９に掛け止めされる。
【００１１】
前記支柱の基部にはブラケット１２が一体的に形成されており、該ブラケットへのナット１１の取付は、図５に示す構成を採用する。そして、調整ネジ１０の先端にはホルダー１６が取り付けられており、該ホルダーにローラー１７が回動自在に軸支されており、該ローラーには張引コイルバネ６の下端６Ｂがリンク部材１８を介して掛け止めされている。
【００１２】
本発明のドラム用フットペダル装置は以上のごとく構成されており、これを実際のドラム演奏に供した場合、フットペダル４を踏み込むと回転軸２が回転し、これに伴ってクランクアーム７が転動する。そして、クランクアーム７の先端のローラー９はリンク部材８を外方向へ案内しながら張引コイルバネ６をその張引力に抗して引き伸ばす。
【００１３】
このとき、張引コイルバネ６は、図３に示すごとく垂直状態の初期位置からローラー１７を支点として傾くが、その変位はローラー１７の回転に吸収され、張引コイルバネ６の下端６Ｂに接触摩擦が発生することはない。
【００１４】
【発明の効果】
以上、詳細に説明したごとく本発明のドラム用フットペダル装置によれば、フットペダルの操作により張引コイルバネが変位してもその下端の変位がローラーによる回転により吸収されるので不快なノイズを発生することがなく、また、円滑なローラーの動作によりペダル操作に抵抗を与えることがない。したがって、継続的に安定したドラム演奏を可能とするなど多大な効果を奏するものである。
【図面の簡単な説明】
【図１】本発明の要部の構成を示す正面図である。
【図２】本発明の要部の構成を示す側面図である。
【図３】本発明の要部の作動状態を示す側面図である。
【図４】従来のドラム用フットペダル装置を示す正面図である。
【図５】図４の要部の構成を示す一部断面図である。
【符号の説明】
１・・・・・ビータ
２・・・・・回転軸
３・・・・・支脚
４・・・・・フットペダル
５・・・・・伝達部材
６・・・・・張引コイルスバネ
７・・・・・クランクアーム
８・・・・・リンク部材
９・・・・・ローラー
１０・・・・調節ネジ
１１・・・・ナット
１２・・・・ブラケット
１３・・・・支持孔
１４・・・・ネジ孔
１５・・・・締付ボルト
１６・・・・ホルダー
１７・・・・ローラー
１８・・・・リンク部材
【図１】
0003584898.tif 000002
【図２】
0003584898.tif 000003
【図３】
0003584898.tif 000004
【図４】
0003584898.tif 000005
【図５】
0003584898.tif 000006